(57)【特許請求の範囲】
【請求項１】
吸気口と、排気口を有する本体ケースと、この本体ケース内に設けられたヒートポンプと、熱交換器とを備え、前記ヒートポンプは、圧縮機と、圧縮機の下流に順次設けた放熱器、膨張手段、吸熱器とにより形成し、前記熱交換器は、ローター状の回転式顕熱交換器であり、２つの風路を有し、ローターが回転することにより、一方の風路ともう一方の風路を入れ替えることにより熱交換するよう形成し、前記本体ケース内の前記放熱器と、前記吸熱器との間の空間に前記熱交換器を設け、前記吸気口から前記本体ケース内に吸気した空気を前記熱交換器の前記一方の風路、前記吸熱器、前記熱交換器の前記もう一方の風路、前記放熱器を順次介して前記排気口へと送風する送風手段とを設け、前記吸気口と前記熱交換器の前記一方の風路の通風面が対向し、前記吸熱器の通風面と前記熱交換器の前記もう一方の風路の通風面が対向し、前記熱交換器の前記もう一方の風路の通風面と前記放熱器の通風面が対向し、前記放熱器の通風面と前記送風手段の吸込み口が対向するように配置した除湿装置。
【請求項２】
吸気口と、第１の排気口と、第２の排気口とを有する本体ケースと、この本体ケース内に設けられたヒートポンプと、熱交換器とを備え、前記ヒートポンプは、圧縮機と、圧縮機の下流に順次設けた放熱器、膨張手段、吸熱器とにより形成し、前記熱交換器は、ローター状の回転式顕熱交換器であり、２つの風路を有し、ローターが回転することにより、一方の風路ともう一方の風路を入れ替えることにより熱交換するよう形成し、前記吸気口から前記本体ケース内に吸気した空気を前記熱交換器の前記一方の風路、前記吸熱器、前記熱交換器の前記もう一方の風路を順次介して前記第１の排気口へと送風する第１の送風手段と、前記吸気口から前記本体ケース内に吸気した空気を前記放熱器を介して前記第２の排気口へと送風する第２の送風手段とを設け、前記吸気口と前記熱交換器の前記一方の風路の通風面が対向し、前記吸熱器の通風面と前記熱交換器の前記もう一方の風路の通風面が対向し、前記熱交換器の前記もう一方の風路の通風面が前記第１の送風手段の吸込口と対向するよう配置し、前記熱交換器の前記もう一方の風路が前記吸熱器と前記第１の送風手段の間の空間に配置され、前記吸気口と前記放熱器の通風面が対向し、前記放熱器の通風面と前記第２の送風手段の吸込口が対向するよう配置された除湿装置。
【請求項３】
前記吸熱器に流入する空気の温度および湿度を検知する検知手段を備え、前記検知手段の検知値により、前記熱交換器の回転速度を変更することを特徴とする請求項１または２記載の除湿装置。
【請求項４】
吸熱器に霜が付着することを検知する検知手段を備え、前記検知手段が霜付を検出した時、熱交換器の回転を遅くする、もしくは停止することを特徴とする請求項３記載の除湿装置。
【請求項５】
第１の送風手段と第二の送風手段とは、両吸込型のケーシングと、このケーシング内に設けた電動機と、この電動機により回転する羽根とから形成し、前記ケーシングは、第１のケーシングと第２のケーシングとから形成し、前記羽根は主板の一方面から延びた第１のブレード部と、主板の他方面から延びた第２のブレード部とから成り、前記第１のケーシングと前記第２のケーシングとの間に仕切板を備え、前記第１の送風手段は、電動機と前記第１のケーシングと前記羽根の前記第１のブレード部とから形成し、前記第２の送風手段は、電動機と前記第２のケーシングと前記羽根の前記第２のブレード部とから形成した、請求項２から４に記載の除湿装置。
【請求項６】
空清フィルターを吸気口に配置することを特徴とする請求項１乃至５記載の除湿装置。
【発明の詳細な説明】
【技術分野】
【０００１】
本発明は、ヒートポンプを用いた除湿装置に関するものである。
【背景技術】
【０００２】
従来のこの種除湿装置の構造は、以下のようになっていた。
【０００３】
すなわち、吸気口と排気口を有する本体ケースと、この本体ケース内に設けられたヒートポンプを備え、このヒートポンプは、圧縮機と、圧縮機の下流に順次設けた放熱器、膨張手段、吸熱器とにより形成し、吸熱器から放熱器への風路中に熱交換器を配置し、吸熱器により除湿対象空気を冷却除湿する構成となっていた（例えば下記特許文献１）。
【先行技術文献】
【特許文献】
【０００４】
【特許文献１】特開２００４−２９３９６２号公報
【発明の概要】
【発明が解決しようとする課題】
【０００５】
上記従来例における課題は、熱交換器を搭載することにより、本体のサイズが大きくなってしまうということであった。
【０００６】
すなわち、従来のものにおいては、熱交換器は略同風量の空気の熱交換を行なうことになり、静止タイプの熱交換器を搭載しているので、それぞれの空気の流入を異なる方向から行なうことになり、風路が複雑になるとともに、熱交換器自体も通風抵抗を減少させるために、薄型化することが難しかった。
【０００７】
また、従来例における他の課題は、周囲の温湿度条件や、運転モードなどにより、最適な除湿運転が行えないということであった。
【０００８】
すなわち、静止タイプの熱交換器では、熱交換能力は除湿装置の運転中において、任意に変更することができないので、例えば、周囲の温湿度が結露しやすい条件では、熱交換器内において、冷却が進み、熱交換器内に結露水が滞留したり、逆に周囲の温湿度が結露しにくい条件では、熱交換能力が不足するということになっていた。
【０００９】
そこで、本発明は上記課題を解決するものであり、コンパクトな本体サイズを実現し、周囲の温湿度条件や、運転モードなどにより、最適な除湿運転が行える除湿装置を得ることを目的とするものである。
【課題を解決するための手段】
【００１０】
そして、この目的を達成するために本発明は、除湿装置として、吸気口と、排気口を有する本体ケースと、この本体ケース内に設けられたヒートポンプと、熱交換器とを備え、前記ヒートポンプは、圧縮機と、圧縮機の下流に順次設けた放熱器、膨張手段、吸熱器とにより形成し、前記熱交換器は、ローター状の回転式顕熱交換器であり、２つの風路を有し、ローターが回転することにより、一方の風路ともう一方の風路を入れ替えることにより熱交換するよう形成し、前記本体ケース内の前記放熱器と、前記吸熱器との間の空間に前記熱交換器を設け、前記吸気口から前記本体ケース内に吸気した空気を前記熱交換器の前記一方の風路、前記吸熱器、前記熱交換器の前記もう一方の風路、前記放熱器を順次介して前記排気口へと送風する送風手段とを設け、前記吸気口と前記熱交換器の前記一方の風路の通風面が対向し、前記吸熱器の通風面と前記熱交換器の前記もう一方の風路の通風面が対向し、前記熱交換器の前記もう一方の風路の通風面と前記放熱器の通風面が対向し、前記放熱器の通風面と前記送風手段の吸込み口が対向するように配置したものである。
【００１１】
また、除湿装置として、吸気口と、第１、第２の排気口を有する本体ケースと、この本体ケース内に設けられたヒートポンプと、熱交換器とを備え、前記ヒートポンプは、圧縮機と、圧縮機の下流に順次設けた放熱器、膨張手段、吸熱器とにより形成し、前記熱交換器は、ローター状の回転式顕熱交換器であり、２つの風路を有し、ローターが回転することにより、一方の風路ともう一方の風路を入れ替えることにより熱交換するよう形成し、前記吸気口から前記本体ケース内に吸気した空気を前記熱交換器の前記一方の風路、前記吸熱器、前記熱交換器の前記もう一方の風路を順次介して前記第１の排気口へと送風する第１の送風手段と、前記吸気口から前記本体ケース内に吸気した空気を前記放熱器を介して前記第２の排気口へと送風する第２の送風手段とを設け、前記吸気口と前記熱交換器の前記一方の風路の通風面が対向し、前記吸熱器の通風面と前記熱交換器の前記もう一方の風路の通風面が対向し、前記熱交換器の前記もう一方の風路の通風面が前記第１の送風手段の吸込口と対向するよう配置し、前記熱交換器の前記もう一方の風路が前記吸熱器と前記第１の送風手段の間の空間に配置され、前記吸気口と前記放熱器の通風面が対向し、前記放熱器の通風面と前記第２の送風手段の吸込口が対向するよう配置されたものである。
【００１２】
また、前記吸熱器に流入する空気の温度および湿度を検知する検知手段を備え、前記検知手段の検知値により、前記熱交換器の回転速度を変更するものである。
【００１３】
また、吸熱器に霜が付着することを検知する検知手段を備え、前記検知手段が霜付を検出した時、熱交換器の回転を遅くする、もしくは停止するものである。
【００１４】
また、第１の送風手段と第２の送風手段とは、両吸込型のケーシングと、このケーシング内に設けた電動機と、この電動機により回転する羽根とから形成し、前記ケーシングは、第１のケーシングと第２のケーシングとから形成し、前記羽根は主板の一方面から延びた第１のブレード部と、主板の他方面から延びた第２のブレード部とから成り、前記第１のケーシングと前記第２のケーシングとの間に仕切板を備え、前記第１の送風手段は、電動機と前記第１のケーシングと前記羽根の前記第１のブレード部とから形成し、前記第２の送風手段は、電動機と前記第２のケーシングと前記羽根の前記第２のブレード部とから形成したものである。
【００１５】
また、空清フィルターを前記吸気口に配置するものである。
【００１６】
そして、これら手段により、初期の目的を達成するものである。
【発明の効果】
【００１７】
以上のように本発明は、吸気口と、排気口を有する本体ケースと、この本体ケース内に設けられたヒートポンプと、熱交換器とを備え、前記ヒートポンプは、圧縮機と、圧縮機の下流に順次設けた放熱器、膨張手段、吸熱器とにより形成し、前記熱交換器は、ローター状の回転式顕熱交換器であり、２つの風路を有し、ローターが回転することにより、一方の風路ともう一方の風路を入れ替えることにより熱交換するよう形成し、前記本体ケース内の前記放熱器と、前記吸熱器との間の空間に前記熱交換器を設け、前記吸気口から前記本体ケース内に吸気した空気を前記熱交換器の前記一方の風路、前記吸熱器、前記熱交換器の前記もう一方の風路、前記放熱器を順次介して前記排気口へと送風する送風手段とを設け、前記吸気口と前記熱交換器の前記一方の風路の通風面が対向し、前記吸熱器の通風面と前記熱交換器の前記もう一方の風路の通風面が対向し、前記熱交換器の前記もう一方の風路の通風面と前記放熱器の通風面が対向し、前記放熱器の通風面と前記送風手段の吸込み口が対向するように配置しているので、除湿動作においては、まず、圧縮機で冷媒を高温高圧の気体状態にし、この冷媒が放熱器に流れる。そして、この放熱器を送風手段による送風で冷却することにより、冷媒は熱が奪われ液化する。次に、放熱器で液化された冷媒を膨張手段により低圧にすることによって気液の２層状態にし、最後に、この気液の２層状態の冷媒を吸熱器に流す。この吸熱器に送風手段によって室内の空気を当て結露させることにより、除湿するものである。ここで、送風手段によって室内の空気は、吸気口から熱交換器の一方の風路を介して吸熱器に流れ、再度熱交換器のもう一方の風路、放熱器を順次介して排気口から室内に排気される。つまり、最初に室内の空気は、吸熱器から熱交換器を介して放熱器に流れる空気と、熱交換器で熱交換することにより冷却され、更に吸熱器で冷却されるので、空気中の水分が結露することにより除湿するものである。また、吸熱器において冷却された空気により放熱器を冷却することができ、放熱器の冷却量を向上することができるのでヒートポンプとして効率よく動作することができる。これにより、除湿効率を向上することができるものである。さらに、回転式の顕熱交換器を搭載することにより、風速方向に対して、風路を短くしながら圧力損失を抑え、薄型化できる。
【００１８】
また、吸気口と、第１、第２の排気口を有する本体ケースと、この本体ケース内に設けられたヒートポンプと、熱交換器とを備え、前記ヒートポンプは、圧縮機と、圧縮機の下流に順次設けた放熱器、膨張手段、吸熱器とにより形成し、前記熱交換器は、ローター状の回転式顕熱交換器であり、２つの風路を有し、ローターが回転することにより、一方の風路ともう一方の風路を入れ替えることにより熱交換するよう形成し、前記吸気口から前記本体ケース内に吸気した空気を前記熱交換器の一方風路、前記吸熱器、前記熱交換器のもう一方の風路を順次介して前記第１の排気口へと送風する第１の送風手段と、前記吸気口から前記本体ケース内に吸気した空気を前記放熱器を介して前記第２の排気口へと送風する第２の送風手段とを設け、前記吸気口と前記熱交換器の前記一方の風路の通風面が対向し、前記吸熱器の通風面と前記熱交換器の前記もう一方の風路の通風面が対向し、前記熱交換器の前記もう一方の風路の通風面が前記第１の送風手段の吸込口と対向するよう配置し、前記熱交換器の前記もう一方の風路が前記吸熱器と前記第１の送風手段の間の空間に配置され、前記吸気口と前記放熱器の通風面が対向し、前記放熱器の通風面と前記第２の送風手段の吸込口が対向するよう配置されているので、除湿動作においては、まず、圧縮機で冷媒を高温高圧の気体状態にし、この冷媒が放熱器に流れる。そして、この放熱器を第２の送風手段による送風で冷却することにより、冷媒は熱が奪われ液化する。次に、放熱器で液化された冷媒を膨張手段により低圧にすることによって気液の２層状態にし、最後に、この気液の２層状態の冷媒を吸熱器に流す。この吸熱器に第１の送風手段によって室内の空気を当て結露させることにより、除湿するものである。ここで、第１の送風手段によって室内の空気は、吸気口から熱交換器の一方の風路を介して吸熱器に流れ、再度熱交換器のもう一方の風路を順次介して第一の排気口から室内に排気される。つまり、最初に室内の空気は、吸熱器から熱交換器を介して排気される空気と、熱交換器で熱交換することにより冷却され、更に吸熱器で冷却されるので、空気中の水分が結露することにより除湿するものである。また、第２の送風手段によって室内の空気は、吸気口から放熱器を介して第２の排気口から室内に排気される。これにより、除湿効率を向上することができるとともに、第１の排気口からは室温よりも温度が低く除湿された空気を排気し、第２の排気口からは室温より温度が高い空気を排気することになり、冷風を分離して排気することができる。さらに、回転式の顕熱交換器を搭載することにより、風速方向に対して、風路を短くしながら圧力損失を抑え、薄型化できる。
【００１９】
また、前記吸熱器に流入する空気の温度および湿度を検知する検知手段を備え、前記検知手段の検知値により、前記熱交換器の回転速度を変更するので、熱交換器の回転速度により、熱交換能力を変更することができ、温湿度などの状況に合わせて熱交換量を調整することができ最適な運転とすることができる。さらに、回転式の顕熱交換器を搭載することにより、風速方向に対して、風路を短くしながら圧力損失を抑え、薄型化できる。
【００２０】
また、吸熱器に霜が付着することを検知する検知手段を備え、前記検知手段が霜付を検出した時、熱交換器の回転を遅くする、もしくは停止するので、室内空気の温度が低くなってくると、吸熱器上で霜が付着する所謂着霜現象が起こるが、着霜状態を検知する検知手段を備えており、この検知手段が着霜を検知した場合、熱交換器の回転動作を遅くするもしくは停止することにより、室内空気の熱交換器での予冷の冷却能力をあえて低下させることにより、着霜状態に入りにくくし、除湿運転を継続させることができ、除湿能力を確保することができる。
【００２１】
また、第１の送風手段と第２の送風手段とは、両吸込型のケーシングと、このケーシング内に設けた電動機と、この電動機により回転する羽根とから形成し、前記ケーシングは、第１のケーシングと第２のケーシングとから形成し、前記羽根は主板の一方面から延びた第１のブレード部と、主板の他方面から延びた第２のブレード部とから成り、前記第１のケーシングと前記第２のケーシングとの間に仕切板を備え、前記第１の送風手段は、電動機と前記第１のケーシングと前記羽根の前記第１のブレード部とから形成し、前記第２の送風手段は、電動機と前記第２のケーシングと前記羽根の前記第２のブレード部とから形成しているので、１つの電動機により、２つの風路を送風することができ、部品点数を下げることができ安価な除湿機を提供できる。さらに、ブレードの形状や、枚数、ブレード径などは、各々の風路に合わせて設定することができ、各風路に必要な風量、圧力損失に対応して、風路設計をすることが可能である。
【００２２】
また、空清フィルターを吸気口に配置するので、空気清浄機能を付加させることができる。
【図面の簡単な説明】
【００２３】
【図１】本発明の実施の形態１の除湿装置を示す概略断面を示す図
【図２】同除湿装置の熱交換器の概略構成を示す図
【図３】本発明の実施の形態２の除湿装置を示す概略断面を示す図
【発明を実施するための形態】
【００２４】
以下、本発明の実施形態について図面を参照しながら説明する。
【００２５】
（実施の形態１）
図１に示すように、本実施形態の除湿装置においては、略箱形状の本体ケース１であり、この本体ケース１の前面側側面には、略四角形状の吸気口２を設け、また本体ケース１の天面には、略四角形状の排気口３を設けている。この本体ケース１内には、ヒートポンプ４を備え、このヒートポンプ４は、圧縮機５と、圧縮機５の下流に順次設けた放熱器６、膨張手段７、吸熱器８とにより形成している。そして、本体ケース１内の放熱器６と吸熱器８との間の空間に熱交換器９を設け、吸気口２から本体ケース１内に吸気した空気を放熱器６の一方部を介して排気口３へと送風する第１の風路１０と、吸気口２から本体ケース１内に吸気した空気を熱交換器９、吸熱器８熱交換器９、放熱器６の他方部を順次介して排気口３へと送風する第２の風路１１とを設けている。また、第１の風路１０および第２の風路１１に空気を送風する送風手段１２を備えている。
【００２６】
本実施形態における特徴は、熱交換器９を、２つの風路を有し、ローターが回転することにより、一方の風路ともう一方の風路を入れ替えることにより熱交換するローター状の回転式顕熱交換器とした点である。この熱交換器９の概略構成を図２に示す。
【００２７】
図２  に示すように、熱交換器９は、平面板材料  とコルゲート加工を施した波型材料とを積層して巻き上げて円盤状に形成し構成され、図中の矢印の方向に多数の小透孔を有していて通風が可能な構造となっている。平面板材料および波型材料は、熱を蓄える性質、いわゆる熱容量が大きな材料で構成され、たとえばポリスチレン、ポリカーボネートなどの樹脂材料、あるいはアルミ、ステンレスなどの金属材料により構成される。そして、通風される空気の熱をその材料に蓄え、異なる温度の空気が通風される際に、蓄えた熱を放出することにより熱交換を行うものである。すなわち、熱交換器を仕切り、それぞれ異なる温度の空気が流通する風路を形成し、熱交換器９がその風路間を入れ替えるように回転するよう形成した場合、高温風路と低温風路の熱を交換し、高温空気を冷却し、低温空気を冷却する作用を有することになる。
【００２８】
また、材料の熱容量が熱交換量を左右することになるので、通風方向の厚みを大きくすることなく、ローターの直径を大きくすれば熱交換量を増加させることができるので通風方向の厚みを薄く抑えることができる特長を有する。
【００２９】
このような熱交換器９を図１において上述のように配置し、駆動手段１３により回転させることにより熱交換を行う。すなわち、吸気口２と熱交換器９の通風面が対向し、吸熱器８の通風面と熱交換器９の通風面が対向し、熱交換器９の通風面と放熱器６の通風面が対向し、放熱器６の通風面と送風手段１２の吸込み口が対向するように配置し、熱交換器９の一方風路が、吸熱器８と放熱器６の間の空間に配置されている。これにより、通風抵抗を増加させずに、本体の厚みを薄くすることが可能となる。
【００３０】
除湿動作においては、まず、圧縮機５で冷媒を高温高圧の気体状態にし、この冷媒が放熱器６に流れる。この放熱器６を送風手段１２によって送風される室内空気によって冷却することにより、冷媒は熱が奪われ液化する。次に、放熱器６で液化された冷媒を膨張手段７により低圧にすることによって気液の２層状態にし、最後に、この気液の２層状態の冷媒を吸熱器８に流し、この吸熱器８に送風手段１２によって室内の空気を当て結露させることにより、除湿するものである。ここで、送風手段１２によって室内の空気は、吸気口２から熱交換器９の一方風路を介して吸熱器８に流れ、熱交換器９の他方風路、放熱器６を順次介して排気口３から室内に排気される。つまり、最初に室内の空気は、熱交換器９を介して吸熱器８から流出する冷却された空気と熱交換を行うことにより、冷却された状態となる。この予冷された空気が更に吸熱器８で冷却されるので、熱交換器９および吸熱器８の両方で冷却されることになり除湿が促進されるものである。そして除湿された空気は、熱交換器９を介して室内空気と熱交換され温度が上昇する。その後、放熱器６に流入し、放熱器６を冷却したのち、室内に排気される。また、送風手段１２によって、放熱器６を冷却したことにより温度上昇した空気は、排気口３から室内へ排気されるものである。
【００３１】
このように、回転式の顕熱交換器を熱交換器９として搭載することにより、通風方向に対して薄型化でき、スリムな除湿装置とすることができ、さらに除湿効率を向上させることができる除湿装置を得ることができる。
【００３２】
また、吸熱器８に流入する空気の温度および湿度を検知する検知手段１４を備えている。検知手段１４は、熱交換器９流出後で吸熱器８流入前の位置に設置され、空気の状態を検知するものであり、たとえば温度および湿度を計測する温湿度計として形成される。一方、熱交換器９はその回転数により熱交換量を変化させることができる。そして、検知手段１４により吸熱器８に流入する空気の湿度が十分高く、飽和状態に近いことが検知できれば、熱交換器９の熱交換量を小さくする動作を行い、熱交換器９内で結露が起こらないようにする。これは、もし、熱交換器９内で結露が起これば、熱交換器９においても漏水対策を施すことが必要となり、装置の複雑化、大型化が必要となるからである。逆に、空気の冷却が十分行えていないことを検知した場合は、熱交換器９の熱交換器量を大きくするよう動作し、除湿を促進する動作を行う。
【００３３】
このように、温湿度などの状況に合わせて熱交換量を調整することができ最適な運転とすることができ、さらに除湿効率を向上させ、小型化の可能な除湿装置を得ることができる。
【００３４】
また、吸熱器８に霜が付着することを検知する検知手段１５を備えている。検知手段１５は、吸熱器８の冷媒配管に設置され、吸熱器８を流れる冷媒の温度を検知するものである。吸熱器８を流れる冷媒の温度が氷点下となり吸熱器８表面も氷点下となった場合、吸熱器８に流入する空気の水分が凍結し霜が付き、いわゆる着霜状態となる。本発明の実施例のように熱交換器９と搭載し、室内空気を予冷してから吸熱器８に導入する構成とした場合、室内空気の温度が低い時、室内空気を直接、吸熱器８に導入する従来の構成に比べて、吸熱器８に流入する空気が予冷されている分、着霜状態になりやすいことになる。着霜状態になった場合、霜を取り除く運転、いわゆるデアイス運転を行うことになり、実際の除湿運転の時間が短くなり、除湿能力が低下することになる。
【００３５】
そこで、検知手段１５が霜付を検出した時、熱交換器９の熱交換能力を低下させるべく、回転を遅くする、もしくは停止する制御を行う。これにより、室内空気の熱交換器９での予冷の冷却能力をあえて低下させることにより、着霜状態に入りにくくし、除湿運転を継続させることができ、除湿能力を確保することができる。
【００３６】
また、空清フィルター１６を吸気口２に配置している。これにより、本体ケース１流入する空気の空気清浄を行うことができ、排気口３からは、除湿された上に、空気清浄された空気を室内に供給することができる。
【００３７】
（実施の形態２）
次に本発明の実施例２について、図３を参照しながら説明する。
【００３８】
なお、実施の形態１と同一部分は同一番号とし、同一の作用効果を有するものとし、詳細な説明は省略する。
【００３９】
図３に示すように、本実施形態の除湿装置においては、略箱形状の本体ケース１の前面側側面には、略四角形状の吸気口２を設け、また本体ケース１の天面には、略四角形状の第１の排気口１７および第２の排気口１８を設けている。この本体ケース１内には、ヒートポンプ４を備えている。そして、熱交換器９を、２つの風路を有し、ローターが回転することにより、一方の風路ともう一方の風路を入れ替えることにより熱交換するローター状の回転式顕熱交換器としている。
【００４０】
本実施形態における特徴は、本体ケース１内の吸気口２および第１の排気口１７と吸熱器８との間の空間に熱交換器９を設け、吸気口２から本体ケース１内に吸気した空気を熱交換器９、吸熱器８、熱交換器９を順次介して第１の排気口１７へと送風する第１の送風手段１９と、吸気口２から本体ケース１内に吸気した空気を放熱器６を介して第２の排気口１８へと送風する第２の送風手段２０とを備えた点である。すなわち、吸気口２と熱交換器９の通風面が対向し、吸熱器８の通風面と熱交換器９の通風面が対向し、熱交換器９の通風面が第１の送風手段１９の吸込口と対向するよう配置し、熱交換器９の一方風路が吸熱器８と第１の送風手段１９の間の空間に配置されている。一方、吸気口２と放熱器６の通風面が対向し、放熱器６の通風面と第２の送風手段２０の吸込口が対向するよう配置されている。これにより、通風抵抗を増加させずに、本体の厚みを薄くすることが可能となる。
【００４１】
除湿動作においては、まず、圧縮機５で冷媒を高温高圧の気体状態にし、この冷媒が放熱器６に流れる。この放熱器６を送風手段１２によって送風される室内空気によって冷却することにより、冷媒は熱が奪われ液化する。次に、放熱器６で液化された冷媒を膨張手段７により低圧にすることによって気液の２層状態にし、最後に、この気液の２層状態の冷媒を吸熱器８に流し、この吸熱器８に第１の送風手段１９によって室内の空気を当て結露させることにより、除湿するものである。ここで、第１の送風手段１９によって室内の空気は、吸気口２から熱交換器９の一方風路を介して吸熱器８に流れ、熱交換器９の他方風路を順次介して第１の排気口１７から室内に排気される。つまり、最初に室内の空気は、熱交換器９を介して吸熱器８から流出する冷却された空気と熱交換を行うことにより、冷却された状態となる。この予冷された空気が更に吸熱器８で冷却されるので、熱交換器９および吸熱器８の両方で冷却されることになり除湿が促進されるものである。そして除湿された空気は、熱交換器９を介して室内空気と熱交換され温度が上昇する。その後、第１の送風手段１９により室内に排気される。ここで、第１の排気口１７から室内に排気される空気は、熱交換器９で熱交換により温度上昇されるが、まだ当初の室内空気よりは低い温度を保ったまま、室内に供給される。すなわち、除湿され、冷却された空気を供給でき、湖の空気を分離して吹き出すことにより、局所的に冷風を得ることができる。また、第２の送風手段２０によって、放熱器６を冷却したことにより温度上昇した空気は、第２の排気口１８から室内へ排気されるものである。
【００４２】
このように、回転式の顕熱交換器を熱交換器９として搭載することにより、通風方向に対して薄型化でき、スリムな除湿装置とすることができ、さらに除湿効率を向上させることができる除湿装置を得ることができる。
【００４３】
このように、除湿効率を向上することができるとともに、第１の排気口１７からは室温よりも温度が低く除湿された空気を排気し、第２の排気口１８からは室温より温度が高い空気を排気することになり、冷風を分離して排気することができる。さらに、回転式の顕熱交換器を搭載することにより、風速方向に対して、風路を短くしながら圧力損失を抑え、薄型化できる。
【００４４】
また、第１の送風手段１９と第２の送風手段２０とは、両吸込型のケーシングと、このケーシング内に設けた電動機２１と、この電動機２１により回転する羽根２２とから形成し、ケーシングは、第１のケーシング２３と第２のケーシング２４とから形成し、羽根２２は主板の一方面から延びた第１のブレード部２５と、主板の他方面から延びた第２のブレード部２６とから成り、第１のケーシング２３と第２のケーシング２４との間に仕切板２７を備え、第１の送風手段１９は、電動機２１と第１のケーシング２３と羽根２２の第１のブレード部２５とから形成し、第２の送風手段２０は、電動機２１と第２のケーシング２４と羽根２２の第２のブレード部２６とから形成している。
【００４５】
すなわち、１つの電動機２１により、２つの風路を送風することができ、部品点数を下げることができ安価な除湿機を提供できる。さらに、ブレードの形状や、枚数、ブレード径などは、各々の風路に合わせて設定することができ、各風路に必要な風量、圧力損失に対応して、風路設計をすることが可能である。
【産業上の利用可能性】
【００４６】
ローターが回転することにより、一方の風路ともう一方の風路を入れ替えることにより熱交換するローター状の回転式顕熱交換器をヒートポンプと組み合わせることにより、除湿効率の向上と、コンパクトな本体サイズを実現し、周囲の温湿度条件や、運転モードなどにより、最適な除湿運転が行える除湿装置を得ることができる。
【００４７】
したがって、家庭用や事務用などの、除湿装置としての活用が期待されるものである。
【符号の説明】
【００４８】
１    本体ケース
２    吸気口
３    排気口
４    ヒートポンプ
５    圧縮機
６    放熱器
７    膨張手段
８    吸熱器
９    熱交換器
１０  第１の風路
１１  第２の風路
１２  送風手段
１３  駆動手段
１４  検知手段
１５  検知手段
１６  空清フィルター
１７  第１の排気口
１８  第２の排気口
１９  第１の送風手段
２０  第２の送風手段
２１  電動機
２２  羽根
２３  第１のケーシング
２４  第２のケーシング
２５  第１のブレード部
２６  第２のブレード部
２７  仕切板
【図１】
0005945688.tif 000002
【図２】
0005945688.tif 000003
【図３】
0005945688.tif 000004